(57)【特許請求の範囲】
【請求項１】
生体適用液を水素分子透過性の容器で密封した液収容物の前記生体適用液に、水素を付加するための水素付加装置であって、
未開封の前記液収容物を収容するためのタンクと、
水に水素が溶け込んだ溶存水素水を生成し、前記タンクに供給する水素水生成部と、
前記タンク内の前記溶存水素水を加熱することにより、前記液収容物の前記生体適用液を温める加熱部と、
前記溶存水素水の温度を検出する温度センサーとを備え、
前記加熱部は、
前記タンク内に前記液収容物が存在するとき、第１温度まで前記溶存水素水を加熱し、
前記タンク内に前記液収容物が存在しないとき、前記第１温度よりも高い第２温度まで前記溶存水素水を加熱する、
水素付加装置。
【請求項２】
前記水素水生成部は、前記タンクとの間で前記溶存水素水を循環させながら、前記溶存水素水の溶存水素濃度を高める、請求項１記載の水素付加装置。
【請求項３】
前記水素水生成部による前記溶存水素水の高濃度化と、前記加熱部による前記溶存水素水の加熱とを、少なくとも一部において同時に実行可能である、請求項２記載の水素付加装置。
【請求項４】
前記タンクから排出された前記溶存水素水を蓄える排液タンクを含む、請求項１記載の水素付加装置。
【請求項５】
前記タンク、前記水素水生成部、前記加熱部及び前記排液タンクを収容するための本体部をさらに含み、前記排液タンクは、前記本体部に対して着脱可能である、請求項４記載の水素付加装置。
【発明の詳細な説明】
【技術分野】
【０００１】
本発明は、生体適用液に水素を付加する装置及び方法に関するものである。
【背景技術】
【０００２】
従来、水素分子透過性を有する容器に封入された生体適用液に、水素分子を実質的に含有させて水素含有生体適用液を製造する方法が提案されている（例えば、特許文献１参照）。
【先行技術文献】
【特許文献】
【０００３】
【特許文献１】特許４４８６１５７号公報
【発明の概要】
【発明が解決しようとする課題】
【０００４】
上記方法では、体適用液が封入された容器を開封することなく、容器の外側から水素分子を接触させて、生体適用液に水素が含有される。水素が含有する生体適用液は、生体への負担が軽減されるとして、近年注目されている。
【０００５】
しかしながら、上記生体適用液であっても、その温度が生体の体温よりも著しく低い場合は、生体への負担は免れないことがある。このため、生体の負担を一層軽減するために、生体適用液を別途加熱する作業が必要となり、取扱いが煩雑であった。
【０００６】
本発明は、以上のような実状に鑑み案出されたもので、生体への負担をより軽減できる生体適用液を容易に準備できる水素付加装置及び方法を提供することを主たる目的としている。
【課題を解決するための手段】
【０００７】
本発明の  第１発明は、生体適用液を水素分子透過性の容器で密封した液収容物の前記生体適用液に、水素を付加するための水素付加装置であって、未開封の前記液収容物を収容するためのタンクと、水に水素が溶け込んだ溶存水素水を生成し、前記タンクに供給する水素水生成部と、前記タンク内の前記溶存水素水を加熱することにより、前記液収容物の前記生体適用液を温める加熱部とを備える。
【０００８】
本発明に係る前記水素付加装置において、前記溶存水素水の温度を検出する温度センサーをさらに備え、前記加熱部は、前記タンク内に前記液収容物が存在するとき、第１温度まで前記溶存水素水を加熱し、前記タンク内に前記液収容物が存在しないとき、前記第１温度よりも高い第２温度まで前記溶存水素水を加熱する、ことが望ましい。
【０００９】
本発明に係る前記水素付加装置において、前記水素水生成部は、前記タンクとの間で前記溶存水素水を循環させながら、前記溶存水素水の溶存水素濃度を高める、ことが望ましい。
【００１０】
本発明に係る前記水素付加装置において、前記水素水生成部による前記溶存水素水の高濃度化と、前記加熱部による前記溶存水素水の加熱とを、少なくとも一部において同時に実行可能である、ことが望ましい。
【００１１】
本発明に係る前記水素付加装置において、前記タンクから排出された前記溶存水素水を蓄える排液タンクを含む、ことが望ましい。
【００１２】
本発明に係る前記水素付加装置において、前記タンク、前記水素水生成部、前記加熱部及び前記排液タンクを収容するための本体部をさらに含み、前記排液タンクは、前記本体部に対して着脱可能である、ことが望ましい。
【００１３】
本発明の第２発明は、生体適用液を水素分子透過性の容器で密封した液収容物の前記生体適用液に、水素を付加するための水素付加方法であって、未開封の前記液収容物をタンクに収容するステップと、水に水素が溶け込んだ溶存水素水を生成し、前記タンクに供給する水素水供給ステップと、前記タンク内の前記溶存水素水を加熱することにより、前記液収容物の前記生体適用液を温める加熱ステップとを含む。
【００１４】
本発明に係る前記水素付加方法において、前記水素水供給ステップと、前記加熱ステップとは、少なくとも一部において同時に実行される、ことが望ましい。
【発明の効果】
【００１５】
本第１発明の前記水素付加装置は、前記水素水生成部が前記溶存水素水を生成し、前記タンクに供給する。そして、前記加熱部が、前記タンク内の前記溶存水素水を加熱することにより、前記液収容物の前記生体適用液を温める。これにより、生体への負担をより軽減できる前記生体適用液を容易に準備することが可能となる。
【００１６】
本第２発明の前記水素付加方法は、前記溶存水素水を生成し、前記タンクに供給する前記水素水供給ステップと、前記タンク内の前記溶存水素水を加熱することにより、前記液収容物の前記生体適用液を温める加熱ステップとを含む。これにより、生体への負担をより軽減できる前記生体適用液を容易に準備することが可能となる。
【図面の簡単な説明】
【００１７】
【図１】本発明の水素付加装置の概略構成を示す図である。
【図２】図１の水素付加装置の電気的構成を示すブロック図である。
【図３】図１のタンクと水素供給部の一例である電解槽を示す図である。
【図４】図１の水素付加装置の本体部と排液タンクを示す斜視図である。
【図５】本発明の水素付加方法の処理手順を示すフローチャートである。
【発明を実施するための形態】
【００１８】
以下、本発明の実施の一形態が図面に基づき説明される。
図１は、本実施形態の水素付加装置１の構成を示している。図２は、水素付加装置１の電気的構成を示している。本実施形態の水素付加装置１は、生体適用液１００に水素を付加する（含有させる）ための装置である。
【００１９】
「生体適用液」とは、注射、点滴、輸液などの用途に浸透圧調製された生理食塩水、栄養素や電解質補給のために調整された注射用液、薬剤（プロスタグランジン等血管拡張剤や抗がん剤を含む）を溶解させられた注射用液や生理食塩液、液状薬剤、輸血に用いられる輸血製剤（輸血用血液）や自己血液、経腸液を含み、さらに臓器の保存のために調合された臓器保存液、がん免疫療法やワクチン療法等で用いられるリンパ球やワクチンを含んだ生体適用液、腹膜透析液、透析液、心筋保護薬などを含む、生体機能の維持向上や疾病・疾患の予防または治療を意図して非経口的に生体に適用される液体全般を示す概念である。また、本明細書においては、「生体適用液」という語で生体の生体液又は生体水そのものを指す場合もある。
【００２０】
本実施形態の水素付加装置１は、生体適用液１００のうち、特に、腹膜透析液に水素を付加するために好適に用いられる。水素が付加された腹膜透析液を用いた腹膜透析は、患者の酸化ストレスの低減に寄与するとして、近年注目されている。
【００２１】
生体適用液１００は、水素分子透過性を有する容器１０１に密封されている。容器１０１の材料としては、例えば、ポリエチレン、ポリプロピレン、ポリスチレン等の高分子材料が望ましいが、水素分子を透過しうる素材であればこれに限るものではない。例えば、酸素ガスバリア性や水蒸気バリア性を特徴とする素材であっても、多くの場合、分子サイズの小さい水素分子は問題なく透過できる。
【００２２】
生体適用液１００は、容器１０１内で、第１液及び第２液に分離され、透析時に混合される形態であってもよい。
【００２３】
容器１０１は、例えば、バッグ状の形態が望ましいが、水素分子の透過性が維持されれば、これに限られるものではなく、例えば、ボトル状の形態であってもよい。水素分子が容器１０１の外壁を透過することにより、生体適用液１００は、水素分子を含有する液体となる。
【００２４】
水素付加装置１は、生体適用液１００を容器１０１で密封した液収容物１０２の生体適用液１００に、水素を付加するための装置である。
【００２５】
水素付加装置１は、液収容物１０２を収容するためのタンク２と、水に水素が溶け込んだ溶存水素水２００を生成する水素水生成部３と、タンク２内の溶存水素水を加熱する加熱部５とを備えている。
【００２６】
タンク２には、未開封の液収容物１０２が収容される。タンク２には、水素水生成部３によって生成された溶存水素水２００が供給される。溶存水素水２００に溶け込んだ水素分子が容器１０１を透過することにより、生体適用液１００に水素が付加される。
【００２７】
水素水生成部３は、水に水素分子を溶解させて溶存水素水２００を生成し、タンク２に供給する。本実施形態の水素水生成部３は、水を電気分解することにより溶存水素水２００を生成する電解槽４を含んでいる。
【００２８】
水素水生成部３とタンク２とは、水路１１によって接続されている。水素水生成部３によって生成された溶存水素水２００は、水路１１を介してタンク２に供給される。
【００２９】
加熱部５は、タンク２内に蓄えられた溶存水素水２００を加熱する。加熱部５には、例えば、電力を動力源とするヒーター５１が設けられている。ヒーター５１は、ジュール熱によって発熱し、タンク２内に蓄えられた溶存水素水２００を加熱することにより、液収容物１０２の生体適用液１００を温める。これにより、生体への負担をより軽減できる生体適用液１００を容易に準備することが可能となる。
【００３０】
水素水生成部３及び加熱部５は、例えば、制御部６によって制御される。制御部６は、例えば、各種の演算処理、情報処理等を実行するＣＰＵ（Central Processing Unit）及びＣＰＵの動作を司るプログラム及び各種の情報を記憶するメモリ等を有している。制御部６は、加熱部５及び水素水生成部３の他、装置各部の制御を司る。
【００３１】
水素付加装置１は、溶存水素水２００の温度を検出する温度センサー７をさらに備えている。温度センサー７は、例えば、タンク２内に設けられている。溶存水素水２００の温度を直接的又は間接的に検出可能であれば、温度センサー７の位置は限定されない。例えば、水路１１等に温度センサー７が設けられていてもよい。
【００３２】
温度センサー７は、溶存水素水２００の温度に相当する電気信号を制御部６に出力する。制御部６は、温度センサー７からの電気信号に基づいて、加熱部５を制御する。これにより、溶存水素水２００の温度が調整される。
【００３３】
溶存水素水２００の温度は、タンク２内の液収容物１０２の存否に基づいて制御されるのが望ましい。液収容物１０２の存否は、例えば、検出部８によって検出される。
【００３４】
検出部８は、例えば、タンク２内に超音波又は電波を発信し、液収容物１０２からの反射波を検出する等の手法により、タンク２内の液収容物１０２の存否を検出する。検出部８は、液収容物１０２の存否に関する電気信号を制御部６に出力する。制御部６は、検出部８からの電気信号に基づいて、加熱部５を制御し、溶存水素水２００を予め定められた温度に加熱する。
【００３５】
制御部６の制御により、例えば、タンク２内に液収容物１０２が存在するとき、加熱部５は、第１温度まで溶存水素水２００を加熱する。これにより、液収容物１０２の生体適用液１００も第１温度まで温められる。
【００３６】
第１温度は、例えば、生体適用液１００が適用される生体の体温に近似する温度、例えば、生体が人間である場合、３６℃〜３８℃とすることができる。これにより、生体への負担がより一層軽減される。
【００３７】
一方、タンク２内に液収容物１０２が存在しないとき、加熱部５は、第２温度まで溶存水素水２００を加熱する。第２温度は、第１温度よりも高い温度である。第２温度まで加熱された溶存水素水２００によって、タンク２内が殺菌される。なお、殺菌に適する第２温度は、例えば、６０℃〜１００℃である。
【００３８】
タンク２内が殺菌には、生体適用液１００に水素を供給した後の溶存水素水２００を用いるのが望ましいが、別途タンク２内に供給された液体であってもよい。
【００３９】
水素水生成部３とタンク２とは、上述した水路１１の他、後述する水路１２及び水路１３によって接続されている。タンク２内の溶存水素水２００は、水路１２、１３を通過して、水素水生成部３に戻る。水路１１、１２及び１３によって、水素水生成部３とタンク２との間で溶存水素水２００が循環する水路が構成される。
【００４０】
水素水生成部３は、溶存水素水２００を送出するためのポンプ３１を含んでいるのが望ましい。本実施形態では、水路１３にポンプ３１が設けられている。水路１１又は１２にポンプ３１が設けられていてもよい。ポンプ３１が溶存水素水２００を駆動することにより、水路１１、１２及び１３内を溶存水素水２００が循環する。
【００４１】
ポンプ３１は、例えば、制御部６によって制御される。制御部６は、電解槽４の動作とポンプ３１の動作とを同期させることにより、水素水生成部３は、タンク２との間で溶存水素水２００を循環させながら、溶存水素水２００の溶存水素濃度を高め、例えば、溶存水素濃度が３００ppb以上の溶存水素水２００を容易に生成することが可能となる。これにより、生体適用液１００に付加される水素が増加し、生体への負担がより一層軽減される。
【００４２】
水素水生成部３による溶存水素水２００の高濃度化と、加熱部５による溶存水素水２００の加熱とを、少なくとも一部において同時に実行可能である、のが望ましい。この場合、水素水生成部３の動作を先に行ってもよいし、加熱部５の動作を先に行ってもよい。これにより、生体への負担をより軽減できる生体適用液１００を短時間で準備することが可能となる。
【００４３】
タンク２内を殺菌する際にも、ポンプ３１によって溶存水素水２００を循環させてもよい。これにより、水路１１、１２、１３及び水素水生成部３が容易に殺菌される。
【００４４】
図３は、タンク２と、水素水生成部３の主要部の一例である電解槽４とを示している。電解槽４は、電解室４０を備え、電解室４０内に第１給電体４１と、第２給電体４２と、を有する。
【００４５】
第１給電体４１と第２給電体４２との間には、隔膜４３が設けられている。電解室４０は、隔膜４３によって第１給電体４１が配された第１極室４０ａと第２給電体４２が配された第２極室４０ｂと区分される。
【００４６】
本実施形態の電解槽４は、制御部６によって制御される。制御部６は、例えば、電流検出器４４（図２参照）から出力された電気信号に基づいて、第１給電体４１及び第２給電体４２に印加する直流電圧を制御する。より具体的には、制御部６は、電流検出器４４によって検出される電解電流が予め設定された所望の値となるように、第１給電体４１及び第２給電体４２に印加する直流電圧をフィードバック制御する。例えば、電解電流が過大である場合、制御部６は、上記電圧を減少させ、電解電流が過小である場合、制御部６は、上記電圧を増加させる。これにより、第１給電体４１及び第２給電体４２に供給する電解電流が適切に制御される。
【００４７】
電解室４０内で水が電気分解されることにより、水素ガス及び酸素ガスが発生する。例えば、陰極側の第２極室４０ｂでは、水素ガスが発生し、当該水素分子が溶け込んだ溶存水素水２００が生成される。なお、このような電気分解を伴って生成された溶存水素水２００は、「電解水素水」とも称される。一方、陽極側の第１極室４０ａでは、酸素ガスが発生する。
【００４８】
水路１１は、第２極室４０ｂとタンク２とを繋いでいる。第２極室４０ｂで生成された溶存水素水２００は、水路１１を介してタンク２に供給される。
【００４９】
水路１２は、タンク２内から溶存水素水２００を取り出すために設けられている。水路１２には、水路１３が接続されている。水路１３は、分岐点１２ａにおいて水路１２から分岐し、電解槽４へと延びている。
【００５０】
水路１２において、水路１３が分岐する分岐点１２ａの下流側には弁１６が設けられている。弁１６は制御部６によって制御される。水素水生成部３の運転中は、制御部６は弁１６を閉じる。弁１６が閉じることにより、タンク２内の溶存水素水２００は、水路１２、１３を介して電解室４０に供給される。
【００５１】
電解槽４は、水路１２の一部及び水路１３を介してタンク２から供給された水を電気分解することにより、水素分子を発生させる。この水素分子が水に溶け込むことにより、タンク２に供給する溶存水素水２００が生成される。また、溶存水素水２００の溶存水素濃度が高められる。
【００５２】
水路１２の先端部には、排液タンク１７が設けられている。排液タンク１７には、タンク２内の殺菌に用いられた溶存水素水２００が排出され、蓄えられる。制御部６が弁１６を開くことにより、タンク２内の溶存水素水２００は、水路１２を通過して、排液タンク１７に至る。
【００５３】
タンク２の殺菌に先だって弁１６が定められた時間だけ開くことにより、タンク２内の溶存水素水２００が減じられてもよい。これにより、溶存水素水２００の加熱時間が短縮される。この場合であっても、溶存水素水２００の加熱により発生した高温の蒸気が、タンク２、水路１１、１２、１３及び水素水生成部３に充満するため、タンク２等が適切に殺菌される。
【００５４】
図４は、水素付加装置１の本体部１０及び排液タンク１７を示している。本体部１０は、タンク２、水素水生成部３、加熱部５及び排液タンク１７を収容する。排液タンク１７は、本体部１０に対して着脱可能に構成されている。
【００５５】
例えば、本体部１０には、排液タンク１７の着脱時に、排液タンク１７をガイドするレール１８が設けられている。排液タンク１７の前面には、排液タンク１７を引き出すためのハンドル１９が設けられている。これにより、排液処理が容易となり、水素付加装置１の使い勝手が高められる。
【００５６】
図５は、水素付加装置１を好適に用いて、生体適用液１００に水素を付加するための水素付加方法を示している。生体適用液１００を水素分子透過性の容器１０１で密封した液収容物の生体適用液１００に、水素を付加するための水素付加方法である。
【００５７】
水素付加方法は、未開封の液収容物１０２をタンク２に収容する収容ステップＳ１と、水に水素が溶け込んだ溶存水素水２００を生成し、タンク２に供給する水素水供給ステップＳ２と、タンク２内の溶存水素水２００を加熱することにより、液収容物１０２の生体適用液１００を温める加熱ステップＳ３とを含む。水素水供給ステップＳ２では、例えば、電気分解によって溶存水素水２００を生成され、さらには、その溶存水素濃度が高められる。
【００５８】
収容ステップＳ１、水素水供給ステップＳ２及び加熱ステップＳ３の順序は、いずれの順序で実行されてもよい。例えば、水素水供給ステップＳ２及び加熱ステップＳ３の後、収容ステップＳ１が実行されてもよい。また、タンク２に供給された水が、加熱ステップＳ３を経て加熱された後、水素水供給ステップＳ２で電気分解が実行されてもよい。
【００５９】
本水素付加方法によれば、生体への負担をより軽減できる生体適用液１００を容易に準備することが可能となる。
【００６０】
水素水供給ステップＳ２と加熱ステップＳ３とは、少なくとも一部において同時に実行される、のが望ましい。これにより、生体への負担をより軽減できる生体適用液１００を短時間で準備することが可能となる。
【００６１】
以上、本発明の水素付加装置１等が詳細に説明されたが、本発明は上記の具体的な実施形態に限定されることなく種々の態様に変更して実施される。すなわち、水素付加装置１は、少なくとも、生体適用液１００を水素分子透過性の容器１０１で密封した液収容物１０２の生体適用液１００に、水素を付加するための水素付加装置１であって、未開封の液収容物１０２を収容するためのタンク２と、水に水素が溶け込んだ溶存水素水２００を生成し、タンク２に供給する水素水生成部３と、タンク２内の溶存水素水２００を加熱することにより、液収容物１０２の生体適用液１００を温める加熱部５とを備えていればよい。
【００６２】
従って、例えば、タンク２内での液収容物１０２の存否は、検出部８が検出する構成の他、ユーザー等が容器１０１の存否を確認し、水素付加装置１を操作して、制御部６に電気信号を入力するように構成されていてもよい。
【００６３】
また、容器１０１を挿脱するための蓋部材２１が設けられているタンク２にあっては、蓋部材２１の開閉状態を検出することにより、タンク２内での液収容物１０２の存否を検出するように、検出部８が構成されていてもよい。
【００６４】
また、例えば、水素水生成部３は、タンク２に水素ガスを供給するように構成されていてもよい。すなわち、電解槽４は、陰極側の第２極室４０ｂで発生された水素ガスをタンク２に供給するように構成されていてもよい。
【００６５】
さらにまた、水素水生成部３の構成は、電解槽４に限られない。例えば、水とマグネシウムとの化学反応等により発生した水素分子を水に溶解させて溶存水素水２００を生成する装置、又は、水素ガスボンベから供給された水素ガス（水素分子）を水に溶解させて溶存水素水２００を生成する装置であってもよい。この場合にあっても、水素水生成部３は、タンク２に水素ガスを供給するように構成されていてもよい。
【００６６】
また、タンク２内に十分な水が供給されていない状態での水素水生成部３又は加熱部５の運転を防ぐために、タンク２内の水量を検出する水量センサー等が設けられていてもよい。水量センサーは、例えば、タンク２の内部又は外部に設置され、タンク２内の水量に応じた電気信号を制御部６に出力する。制御部６は、水量センサーからの電気信号に基づいて、水素水生成部３又は加熱部５を制御する。より具体的には、タンク２内の水量が予め定められた閾値未満の場合には、制御部６は、水素水供給ステップＳ２及び加熱ステップＳ３を実行しないように構成されてもよい。
【００６７】
また、満水になった排液タンク１７から排水が逆流するのを防ぐために、排液タンク１７の水量を検出する水量センサー等が設けられていてもよい。水量センサーは、例えば、排液タンク１７の内部又は外部に設置され、排液タンク１７内の水量に応じた電気信号を制御部６に出力する。水量センサーには、弁１６から排液タンク１７に至る水路１２を流れる水量から水量を推定する構成の他、排液タンク１７の重量を検出する構成等が適用されてもよい。制御部６は、水量センサーからの電気信号に基づいて、弁１６を制御する。より具体的には、排液タンク１７が満水である場合、制御部６は、弁１６を閉じる。その後、排液タンク１７内の水が廃棄され、容量に空きが生じた排液タンク１７が装着されたことが確認されたとき、制御部６は、弁１６を開くように構成されていてもよい。
【００６８】
また、本体部１０には、例えば、液晶表示装置（Liquid Crystal Display）等のディスプレイ部が設けられていてもよい。ディスプレイ部は、制御部６によって制御され、各種の情報を表示する。ディスプレイ部が表示する情報としては、例えば、溶存水素水２００の溶存水素濃度、温度（生体適用液１００の推定温度）、タンク２内の液収容物１０２の存否、排液タンク１７の空き容量等が挙げられる。ディスプレイ部は、上記情報をリアルタイムに更新するように構成されていてもよい。
【００６９】
また、水素付加装置１の殺菌方法は、少なくとも、生体適用液１００を水素分子透過性の容器１０１で密封した液収容物１０２の生体適用液１００に、水素を付加するための水素付加方法であって、未開封の液収容物１０２をタンク２に収容する収容ステップＳ１と、水に水素が溶け込んだ溶存水素水２００を生成し、タンク２に供給する水素水供給ステップＳ２と、タンク２内の溶存水素水２００を加熱することにより、液収容物１０２の生体適用液１００を温める加熱ステップＳ３とを含んでいればよい。
【００７０】
例えば、収容ステップＳ１、水素水供給ステップＳ２、加熱ステップＳ３の後、タンク２内を殺菌する殺菌ステップが実行されてもよい。
【符号の説明】
【００７１】
１      水素付加装置
２      タンク
３      水素水生成部
５      加熱部
７      温度センサー
１０    本体部
１７    排液タンク
１００  生体適用液
１０１  容器
１０２  液収容物
２００  溶存水素水
Ｓ１    収容ステップ
Ｓ２    水素水供給ステップ
Ｓ３    加熱ステップ
【要約】
【課題】生体への負担をより軽減できる生体適用液を容易に準備できる水素付加装置等を提供する。
【解決手段】水素付加装置１は、生体適用液１００を水素分子透過性の容器１０１で密封した液収容物１０２の生体適用液１００に、水素を付加する。水素付加装置１は、未開封の液収容物１０２を収容するためのタンク２と、水に水素が溶け込んだ溶存水素水２００を生成し、タンク２に供給する水素水生成部３と、タンク２内の溶存水素水２００を加熱することにより、液収容物１０２の生体適用液１００を温める加熱部５とを備える。
【選択図】図１【図１】
0006905108.tif 000002
【図２】
0006905108.tif 000003
【図３】
0006905108.tif 000004
【図４】
0006905108.tif 000005
【図５】
0006905108.tif 000006